(57)【要約】【課題】下唇板と脱穀フィードチェーンとの間からの塵埃のこぼれ落ちを効果的に防止できるようにする。【解決手段】下唇板２８の脱穀フードチェーン側の端部２８Ｂは、平面視で脱穀フィードチェーン３２と重複するように、脱穀フィードチェーン３２の下方まで延ばされており、かつ、脱穀フィードチェーン側ほど高く位置する傾斜状態で延ばされている。下唇板２８の脱穀フードチェーン側の端部２８Ｂの傾斜角度は、脱穀フィードチェーン側ほど緩くなるよう設定されている。【選択図】図７
2020103164.tif 000002
【特許請求の範囲】
【請求項１】
刈取茎稈の穂先側部分が挿入される扱室と、
前記扱室に設けられ、前記扱室に挿入された穂先側部分を脱穀する扱胴と、
前記扱室の横側方において、下唇板と上唇板とによって形成された扱口と、
前記扱室の横側方において前記扱口に沿って延び、刈取茎稈の株元側部分を前記扱室の後方へ向けて挟持搬送する脱穀フィードチェーンと、が備えられ、
前記下唇板の脱穀フードチェーン側の端部は、平面視で前記脱穀フィードチェーンと重複するように、前記脱穀フィードチェーンの下方まで延ばされており、かつ、脱穀フィードチェーン側ほど高く位置する傾斜状態で延ばされており、
前記下唇板の前記端部の傾斜角度は、脱穀フィードチェーン側ほど緩くなるよう設定されている脱穀装置。
【請求項２】
前記下唇板から上向きに突設され、前記脱穀フィードチェーンの扱室側の側部に接触することで前記脱穀フィードチェーンの傾動を規制する規制部が備えられている請求項１に記載の脱穀装置。
【請求項３】
前記規制部は、前記脱穀フィードチェーンにおけるピンに接触する請求項２に記載の脱穀装置。
【請求項４】
前記規制部は、前記扱口の前部に対応する箇所に設けられている請求項２または３に記載の脱穀装置。
【請求項５】
前記規制部は、前記扱口での刈取茎稈搬送方向に沿って点在している請求項２から４のいずれか一項に記載の脱穀装置。
【発明の詳細な説明】
【技術分野】
【０００１】
本発明は、脱穀装置に関する。
【背景技術】
【０００２】
脱穀装置として、刈取茎稈の穂先側部分が挿入される扱室と、扱室に設けられ、扱室に挿入された穂先側部分を脱穀する扱胴と、扱室の横側方において、下唇板と上唇板とによって形成された扱口と、扱室の横側方において扱口に沿って延び、刈取茎稈の株元側部分を扱室の後方へ向けて挟持搬送する脱穀フィードチェーンと、が備えられたものがある。
この種の脱穀装置において、例えば特許文献１に示されるように、下唇板の脱穀フードチェーン側の端部が平面視で脱穀フィードチェーンと重複するように、脱穀フィードチェーンの下方まで延ばされており、かつ、脱穀フィードチェーン側ほど高く位置する傾斜状態で延ばされており、下唇板と脱穀フィードチェーンとの間の隙間から塵埃がこぼれ落ちるということを生じ難くされたものがある。
【先行技術文献】
【特許文献】
【０００３】
【特許文献１】特開２０１６−１９５６０８号公報
【発明の概要】
【発明が解決しようとする課題】
【０００４】
下唇板の脱穀フィードチェーン側の端部（以下、下唇板のフィードチェーン側端部と呼称する。）の傾斜角を急角度にするほど、下唇板のフィードチェーン側端部の上に位置した塵埃が扱室に流下しやすくなる。しかし、従来の技術を採用した場合、下唇板のフィードチェーン側端部の傾斜角を急角度にすると、下唇板のフィードチェーン側端部が脱穀フィードチェーンの下方まで急角度で延びるので、下唇板のフィードチェーン側端部と脱穀フィードチェーンとの間の隙間が広くなる。すなわち、下唇板のフィードチェーン側端部と脱穀フィードチェーンとの間の隙間に塵埃が入りやすくなり、下唇板と脱穀フィードチェーンとの間の隙間から塵埃がこぼれ落ちることを防止するように、下唇板のフィードチェーン側端部を脱穀フィードチェーンの下方まで延ばすことの効き目が弱くなる。
【０００５】
本発明は、下唇板と脱穀フィードチェーンとの間からの塵埃のこぼれ落ちを効果的に防止できる脱穀装置を提供することにある。
【課題を解決するための手段】
【０００６】
本発明による脱穀装置は、
刈取茎稈の穂先側部分が挿入される扱室と、前記扱室に設けられ、前記扱室に挿入された穂先側部分を脱穀する扱胴と、前記扱室の横側方において、下唇板と上唇板とによって形成された扱口と、前記扱室の横側方において前記扱口に沿って延び、刈取茎稈の株元側部分を前記扱室の後方へ向けて挟持搬送する脱穀フィードチェーンと、が備えられ、前記下唇板の脱穀フードチェーン側の端部は、平面視で前記脱穀フィードチェーンと重複するように、前記脱穀フィードチェーンの下方まで延ばされており、かつ、脱穀フィードチェーン側ほど高く位置する傾斜状態で延ばされており、前記下唇板の前記端部の傾斜角度は、脱穀フィードチェーン側ほど緩くなるよう設定されている。
【０００７】
本構成によると、下唇板の脱穀フィードチェーン側の端部における扱室側の部分の傾斜角よりも下唇板の脱穀フィードチェーン側の端部における脱穀フィードチェーン側の部分の傾斜角の方が緩くなるので、下唇板の脱穀フィードチェーン側の端部における扱室側の部分に位置した塵埃を扱室に流下しやすいようにしつつ、下唇板の脱穀フィードチェーン側の端部と脱穀フィードチェーンとの間の隙間を狭くして、下唇板と脱穀フィードチェーンとの間に塵埃を入り込み難くできる。すなわち、下唇板と脱穀フィードチェーンとの間からの塵埃のこぼれ落ちを効果的に防止できる。
【０００８】
本発明においては、前記下唇板から上向きに突設され、前記脱穀フィードチェーンの扱室側の側部に接触することで前記脱穀フィードチェーンの傾動を規制する規制部が備えられていると好適である。
【０００９】
下唇板の脱穀フィードチェーン側の端部が脱穀フィードチェーンの下方に入り込んでいると、脱穀フィードチェーンによって挟持される茎稈が扱胴による脱穀のために扱室の方に引っ張られることに起因して脱穀フィードチェーンを扱室の方に傾動させる操作力が発生することにより、脱穀フィードチェーンが扱室の方に傾きそうになりやすい。しかし、本構成によると、脱穀フィードチェーンが傾動しようとすると、脱穀フィードチェーンの扱室側の端部に規制部が接触して脱穀フィードチェーンの傾動が規制部によって規制されるので、脱穀フィードチェーンが傾動しないとか、あまり傾動しなくて刈取茎稈をしっかり挟持する。
【００１０】
本発明においては、前記規制部は、前記脱穀フィードチェーンにおけるピンに接触する
と好適である。
【００１１】
本構成によると、脱穀フィードチェーンの芯部分に相当するピンに規制部が接触するので、脱穀フィードチェーンが規制部によってしっかり受け止め支持され、脱穀フィードチェーンの規制部による傾動の規制が効果的に行われる。
【００１２】
本発明においては、前記規制部は、前記扱口の前部に対応する箇所に設けられていると好適である。
【００１３】
本構成によると、刈取茎稈の穂先側部分における着粒量が多く、穂先側部分の脱穀に起因して脱穀フィードチェーンを傾動させる方向の強い操作力が発生する部位おいて、脱穀フィードチェーンに規制部が作用するので、脱穀フィードチェーンは、挟持搬送する刈取茎稈が扱室の方に強く引っ張られるにもかかわらず、傾動しないとか、あまり傾動しなくて刈取茎稈をしっかり挟持しつつ搬送する。
【００１４】
本発明においては、前記規制部は、前記扱口での刈取茎稈搬送方向に沿って点在していると好適である。
【００１５】
本構成によると、穂先側部分が脱穀処理されつつある刈取茎稈を挟持搬送する脱穀フィードチェーンは、脱穀フィードチェーンを傾動される操作力を受けつつ刈取茎稈を挟持搬送するが、刈取茎稈の搬送方向に点在する箇所で脱穀フィードチェーンの傾動が規制部によって規制されるので、脱穀フィードチェーンは、挟持搬送する刈取茎稈が扱室の方に引っ張られるにもかかわらず、傾動しないとか、あまり傾動しなくて刈取茎稈をしっかり挟持しつつ搬送する。
【図面の簡単な説明】
【００１６】
【図１】コンバインの全体を示す左側面図である。
【図２】コンバインの全体を示す平面図である。
【図３】脱穀装置を示す縦断側面図である。
【図４】脱穀部を示す縦断正面図である。
【図５】脱穀フィードチェーン、ガイド部材及び搬送レールを示す側面図である。
【図６】下唇板の支持構造を示す側面図である。
【図７】図６のＶＩＩ−ＶＩＩ断面矢視図である。
【発明を実施するための形態】
【００１７】
以下、本発明の一例である実施形態を図面に基づいて説明する。
なお、以下の説明では、コンバインの走行機体に関し、図１，２に示される矢印Ｆの方向を「機体前方」、矢印Ｂの方向を「機体後方」、図１に示される矢印Ｕの方向を「機体上方」、矢印Ｄの方向を「機体下方」、図２に示される矢印Ｌの方向を「機体左方」、矢印Ｒの方向を「機体右方」とする。
【００１８】
〔コンバインの全体について〕
図１，２に示されるように、コンバインは、角パイプ材などの複数の鋼材を連結して構成された機体フレーム１を有し、かつ、機体フレーム１の下部に装備された左右一対のクローラ式走行装置２を有する走行機体を備えている。走行機体の前部の右横側部分に、キャビン３を有する運転部４が形成されている。走行機体の前部に、刈取搬送部５が設けられている。刈取搬送部５は、刈取搬送部５の前部に設けられた刈取部５Ａと、刈取搬送部５の後部に設けられた搬送部５Ｂとを備えている。刈取搬送部５は、走行機体の前部の左横側部分に上下揺動可能に支持され、刈取部５Ａが圃場面近くまで下降した下降作業状態と、刈取部５Ａが圃場面から高く上昇した上昇非作業状態とにわたって昇降操作になっている。刈取部５Ａは、複数条の植付条に植立する稲、麦などの植立茎稈を引起装置６によって引き起こしながら、植立茎稈の株元をバリカン型の刈取装置７によって刈取る。搬送部５Ｂは、刈取部５Ａが刈り取った刈取茎稈を株元側挟持搬送装置１０ａと、穂先側係止搬送装置１０ｂとによって後方に搬送する。穂先側係止搬送装置１０ｂは、搬送終端部において、穂先側を株元側挟持搬送装置１０ａに対して機体横内側に引き込み操作し、搬送部５Ｂは、搬送終端部で刈取茎稈を立姿勢から横倒れ姿勢に姿勢変更する。走行機体の後部に、搬送部５Ｂからの刈取茎稈を受け入れて脱穀する脱穀処理を行い、かつ、脱穀粒を塵埃と選別する選別処理を行う脱穀装置８、脱穀装置８によって得られた脱穀粒が揚穀装置１４によって供給されて貯留する穀粒タンク９が設けられている。脱穀装置８と穀粒タンク９とは、横並び状態で設けられている。脱穀装置８の後部に、脱穀装置８が排出した脱穀排ワラを細断処理する細断装置１１が接続されている。脱穀装置８の左横側方と細断装置１１の左横側方とにわたり、エンジン（図示せず）の動力を脱穀装置８の選別部８Ｂ（図３参照）、及び、細断装置１１に伝達する動力伝達装置１３と、動力伝達装置１３などを横外側から覆う横カバー１２とが設けられている。横カバー１２は、複数枚の分割横カバーによって構成されている。穀粒タンク９に貯留された脱穀粒を取り出す穀粒排出装置１５が穀粒タンク９の後部から延出されている。
【００１９】
〔脱穀装置の構成について〕
脱穀装置８は、図３に示されるように、脱穀装置８の上部に設けられた脱穀部８Ａと、脱穀部８Ａの扱室２０の下方から後方に亘って設けられた選別部８Ｂと、を備えている。
【００２０】
脱穀部８Ａは、図３，４に示されるように、扱室２０と、扱室２０に回転可能に設けられた扱胴２１と、を備えている。扱胴２１は、扱室２０の前後方向に沿う回転支軸２１ａの軸芯を回転中心にして回転駆動されるようになっている。扱室２０は、前壁２２、後壁２３，天板２４、及び、扱胴２１に沿った円弧状の受網２５によって形成されている。扱室２０の前部に、刈取茎稈の穂先側が扱室２０に挿入される入口２６が形成されている。扱室２０の後部に、脱穀ワラ、及び、切れワラなどの塵埃が排出される排出口２７が形成されている。図４に示されるように、扱室２０の左横側方において、下唇板２８と上唇板２９とによって扱口３０が扱室２０の前後方向に延びる状態で形成されている。
【００２１】
上唇板２９は、図４に示されるように、上唇板２９の下部から下向きに延ばされた扱口ガイド部２９ａを備えている。図４，６に示されるように、下唇板２８の扱口前後方向での複数箇所において、下唇板２８の外面側と、脱穀装置８の左側壁３１とに連結部材３１ａが連結されている。下唇板２８と連結部材３１ａとの連結は、溶接によって行われている。左側壁３１と連結部材３１ａとの連結は、連結ボルトによって行われている。下唇板２８は、複数の連結部材３１ａを介して左側壁３１に固定されている。
【００２２】
図３，４に示されるように、扱室２０の左横側方に、脱穀フィードチェーン３２と、脱穀フィードチェーン３２の刈取茎稈を搬送する搬送側部分に沿った搬送レール３３と、が備えられている。
【００２３】
脱穀フィードチェーン３２は、図５に示されるように、突起付きの無端回動チェーンによって構成されている。脱穀フィードチェーン３２は、図４，５に示されるように、扱口３０の横外側に扱口３０に沿って前後方向に延びる状態で設けられたガイド部材３４と、ガイド部材３４の下方に設けられた下ガイド部材３５と、ガイド部材３４の前端部に遊転可能に支持された遊転輪３６と、ガイド部材３４の後方に回転可能かつ駆動可能に設けられた駆動スプロケット３７と、遊転輪３６と下ガイド部材３５との間に設けられた緊張輪３８と、に巻回されている。脱穀フィードチェーン３２は、駆動スプロケット３７によって駆動され、脱穀フィードチェーン３２のうち、刈取茎稈を搬送する搬送側部分がガイド部材３４に下方から受け止め支持されつつガイド部材３４に案内されて後方に移動し、脱穀フィードチェーン３２のうち、戻り経路に沿う戻り側部分が下ガイド部材３５によって下方から受け止め支持されつつ下ガイド部材３５に案内されて前方に移動する。
【００２４】
図４，５に示されるように、搬送レール３３は、茎稈の搬送方向に並ぶ複数の分割レール３３ａによって構成されている。隣り合う分割レール３３ａは、相対的な上下揺動が可能な状態で連結されている。各分割レール３３ａは、分割レール３３ａに下端部が連結された支持杆３９を介して支持フレーム４０に支持されている。各支持杆３９は、支持フレーム４０が有する支持部４０ａに上下スライド可能に支持されている。各支持杆３９に、支持杆３９を下降付勢することによって分割レール３３ａを脱穀フィードチェーン３２に係合付勢するスプリング４１が装着されている。搬送レール３３は、複数の支持杆３９を介して支持フレーム４０に上下動可能に支持され、かつ、複数のスプリング４１によって脱穀フィードチェーン３２の搬送側部分に係合付勢されている。搬送レール３３は、脱穀フィードチェーン３２の搬送側部分が刈取茎稈の株元側を挟持搬送することを可能にしている。
【００２５】
ガイド部材３４は、図４，７に示されるように、脱穀フィードチェーン３２のチェーンローラ３２ａを下方から受け止めるローラ受部３４ａと、ローラ受部３４ａの下面側に上部が連結され、ローラ受部３４ａを支持するフレーム部３４ｂと、を備えている。フレーム部３４ｂの横幅Ｗ１をローラ受部３４ａの横幅Ｗ２よりも小さく設定され、ローラ受部３４ａの一端部がフレーム部３４ｂから扱口３０の方に突出する状態でローラ受部３４ａとフレーム部３４ｂとが連結されている。ローラ受部３４ａとフレーム部３４ｂとは、溶接によって連結されている。ガイド部材３４は、図４，５に示されるように、複数の連結部材３１ａそれぞれから延ばされ、延出端部がフレーム部３４ｂに連結された支持アーム４２によって支持されている。ガイド部材３４は、支持アーム４２及び連結部材３１ａを介して左側壁３１に支持されている。下ガイド部材３５は、図４，５に示されるように、支持杆４３を介してガイド部材３４に支持されている。支持杆４３は、フレーム部３４ｂの下唇板２８に対向する側の側部から下向きに延ばされ、延出端部で下ガイド部材３５の下面側部分に連結されている。
【００２６】
下唇板２８は、図７に示されるように、扱胴２１の外周部に沿う状態で扱胴２１に対向する下部２８Ａと、下部２８Ａの上端部から脱穀フィードチェーン３２に向けて延ばされた脱穀フィードチェーン側の端部２８Ｂ（以下、チェーン側端部２８Ｂと略称する。）と、を備えている。チェーン側端部２８Ｂは、図４，７に示されるように、平面視で脱穀フィードチェーン３２と重複するように、脱穀フィードチェーン３２の下方まで延ばされ、かつ、脱穀フィードチェーン側ほど高く位置する傾斜状態で延ばされている。
【００２７】
チェーン側端部２８Ｂの傾斜角度は、脱穀フィードチェーン側ほど緩くなるように設定されている。具体的には、図７に示されるように、チェーン側端部２８Ｂの前後方向視での形状をチェーン側端部２８Ｂの横幅方向での中間部Ｃで折れた１段折れ形状とし、チェーン側端部２８Ｂのうち、中間部Ｃに対して脱穀フィードチェーン３２が位置する側に位置する延出端側部分２８Ｓにおける鉛直方向（矢印Ｈで示される方向）に対する傾斜角度をＫ１とし、チェーン側端部２８Ｂのうち、中間部Ｃに対して扱胴２１が位置する側に位置する扱胴側部分２８Ｋにおける鉛直方向（矢印Ｈで示される方向）に対する傾斜角度をＫ２とすると、延出端側部分２８Ｓの傾斜角度Ｋ１が扱胴側部分２８Ｋの傾斜角度Ｋ２よりも緩く設定されている。扱胴側部分２８Ｋでは、扱胴側部分２８Ｋの傾斜角度Ｋ２が延出端側部分２８Ｓの傾斜角度Ｋ１よりも急角度であることによって塵埃が扱室２０に流下しやすくしつつ、延出端側部分２８Ｓと脱穀フィードチェーン３２との間の隙間Ｚを狭くできる。
【００２８】
本実施形態では、チェーン側端部２８Ｂの前後方向視での形状を１段折れ形状にしているが、これに限らない。たとえば、横幅方向での２箇所以上で折れた状態で形成され、かつ、脱穀フィードチェーン３２に近い段部ほど鉛直方向に対する傾斜角度が緩い状態で形成された複数段折れ形状のチェーン側端部を採用してもよい。また、前後方向視において、下部２８Ａの上部から脱穀フィードチェーン３２の下方まで折れないで滑らかに延びる状態で、脱穀フィードチェーン側ほど高く位置する状態で円弧形状に形成されたチェーン側端部を採用してもよい。
【００２９】
図７に示されるように、チェーン側端部２８Ｂにおける脱穀フィードチェーン側の端部分２８ｔは、フレーム部３４ｂに沿ってローラ受部３４ａの下側まで立ち上がり、延出端側部分２８Ｓからこぼれ落ちようとする塵埃を受け止めるストッパーになるよう形成されている。
【００３０】
図４，７に示されるように、チェーン側端部２８Ｂから立ち上がる規制部４４が下唇板２８に備えられている。規制部４４は、図６に示されるように、下唇板２８のうち、扱口３０の前端側部分に対応する前部位と、この前部位に対して茎稈搬送方向下手側に離れた部位と、に点在する状態で備えられている。脱穀フィードチェーン３２が挟持する刈取茎稈が扱胴２１による脱穀処理のために扱室側に引っ張り操作されることに起因して発生する操作力によって脱穀フィードチェーン３２が扱室２０の方に傾動しようとする。すなわち、脱穀フィードチェーン３２の扱口側と反対側の端部がローラ受部３４ａから浮き上がろうとする。しかし、脱穀フィードチェーン３２が傾動しようとすると、規制部４４が脱穀フィードチェーン３２におけるピン３２ｂの扱室側の端部に接触して脱穀フィードチェーン３２を扱室２０の方から受け止め支持し、脱穀フィードチェーン３２の傾動が規制部４４によって規制される。前側の規制部４４は、脱穀フィードチェーン３２の搬送側部分のうち、遊転輪３６及び駆動スプロケット３７から離れた前部における搬送方向での中央寄りの部位に位置し、脱穀フィードチェーン３２の傾動しやすい前部での傾動をしっかり防止する。後側の規制部４４は、脱穀フィードチェーン３２の搬送側部分のうち、遊転輪３６及び駆動スプロケット３７から離れた後部における搬送方向での中央寄りの部位に位置し、脱穀フィードチェーン３２の傾動しやすい後部での傾動をしっかり防止する。
【００３１】
本実施形態では、規制部４４は、下唇板２８と別部材に作製され、下唇板２８に取付ネジによって脱着可能に取付けられた規制部形成部材によって形成されている。これに限らず、下唇板２８にプレス成型などよって一体に形成された規制部の採用が可能である。本実施形態では、規制部４４が茎稈搬送方向での３箇所に備えられているが、これに限らない。たとえば、扱口３０の前端側部分に対応する位置のみに備えてもよい。また、２箇所以下、あるいは、４箇所以上に備えてもよい。本実施形態では、規制部４４は、脱穀フィードチェーン３２のピン３２ｂに接触するよう構成しているが、これに限らず、脱穀フィードチェーン３２のプレートに接触する構成の採用が可能である。
【００３２】
脱穀装置８においては、搬送部５Ｂによって横倒れ姿勢に姿勢変更された刈取茎稈の株元側を脱穀フィードチェーン３２の始端部が受け入れ、受け入れた株元側が脱穀フィードチェーン３２によって後方に向けて挟持搬送され、刈取茎稈の穂先側が入口底板４５（図３参照）によって入口２６に案内されて扱室２０の始端部に挿入される。扱室２０の始端部に穂先側が挿入された刈取茎稈の株元側が脱穀フィードチェーン３２によって扱口３０に沿わせて扱室２０の後方に向けて挟持搬送され、穂先側が扱胴２１によって脱穀されつつ扱室２０を後方に向けて移送される。
【００３３】
下唇板２８における扱胴側部分２８Ｋでは、塵埃が扱室２０に流下しやすいことにより、かつ、下唇板２８における延出端側部分２８Ｓと脱穀フィードチェーン３２との間の隙間Ｚが狭いことにより、さらに、下唇板２８から扱室側と反対側にこぼれ落ちようとする塵埃に対して下唇板２８の端部２８ｔがストッパーになることにより、扱口３０の付近で刈取茎稈から発生したワラ屑などの塵埃が下唇板２８と脱穀フィードチェーン３２との間の隙間からこぼれ落ちることが防止される。すなわち、脱穀フィードチェーン３２の下方に位置する動力伝達装置１３などに塵埃が付着することを防止しつつ株元側部分が扱室２０の後方に向けて挟持搬送される。扱胴２１による穂先側部分の脱穀によって刈取茎稈が扱室２０側に引っ張り操作されることに起因して発生する操作力によって脱穀フィードチェーン３２が扱室２０の方に傾動しようとしても、脱穀フィードチェーン３２の扱室側の端部に接触する各規制部４４の作用によって脱穀フィードチェーン３２が傾動しないとか、あまり傾動しなくて、刈取茎稈が脱穀フィードチェーン３２によってしっかり挟持されつつ搬送される。脱穀排ワラが脱穀フィードチェーン３２による挟持搬送によって扱室２０の排出口２７から扱室２０の後方に排出される。
【００３４】
脱穀処理によって得られた脱穀粒が受網２５の漏下穴を通って選別部８Ｂに落下する。落下した脱穀粒を揺動選別装置４６（図３参照）が受け入れ、受け入れられた脱穀粒が揺動選別装置４６による揺動選別と、唐箕４７（図３参照）からの選別風による風選別とによってワラ屑などの塵埃と選別される。選別された脱穀粒のうちの精粒が１番スクリュー４８（図３参照）によって脱穀装置８の外部に搬送されて揚穀装置１４に供給される。選別された脱穀粒のうちの未処理粒が２番スクリュー４９（図３参照）によって脱穀装置８の外部に搬送され、外部から還元装置５０（図３参照）によって揺動選別装置４６の始端部に還元される。
【００３５】
〔別実施形態〕
（１）上記した実施形態では、下唇板２８のチェーン側端部２８Ｂの傾斜角度を脱穀フィードチェーン側ほど緩くするのに、１段折れのチェーン側端部２８Ｂを採用しているが、これに限らず、２段以上の複数段折れや、前後方向視で円弧形状のチェーン側端部の採用が可能である。
【００３６】
（２）上記した実施形態では、脱穀フィードチェーン３２のピン３２ｂに接触する規制部４４が採用された例を示したが、これに限らない。すなわち、ピン３２ｂの下側や上側でプレート３２ｃに接触する規制部の採用が可能である。
【００３７】
（３）上記した実施形態では、規制部４４が作物搬送方向での２箇所に備えられた例を示したが、扱口３０の前部に対応する１箇所だけに設けてもよい。また、刈取茎稈搬送方向での３箇所以上に設けてもよい。
【産業上の利用可能性】
【００３８】
本発明は、クローラ走行装置を備えるコンバインに限らず、走行車輪を備えるコンバインに備えられる脱穀装置に適用できる。
【符号の説明】
【００３９】
２０        扱室
２８        下唇板
２８Ｓ      下唇板の脱穀フィードチェーン側の端部（チェーン側端部）
２９        上唇板
３０        扱口
３２        脱穀フィードチェーン
４４        規制部
【図１】
2020103164.tif 000003
【図２】
2020103164.tif 000004
【図３】
2020103164.tif 000005
【図４】
2020103164.tif 000006
【図５】
2020103164.tif 000007
【図６】
2020103164.tif 000008
【図７】
2020103164.tif 000009